(57)【特許請求の範囲】
【請求項１】
所定の作業箇所に取り付け固定される装置本体１に、スタッド４付きのボール５であって該ボール５の外周面に複数の溝１７が互いに平行に周方向に条設されてなるボール５と、このボール５を受けるボール受け部６と、前記ボール５をボール受け部６に圧着して回動不能に固定する圧着固定手段７とを設け、前記スタッド４に、活線作業用工具Ｓを取外し可能に固定するクランプ８を設けてなり、圧着固定手段７は、前記装置本体１の支持部材１１上に同心状に設置された流体圧シリンダ１２と、ボール５に当接する押し付け部材１５と、からなり、該流体圧シリンダ１２の作動により押し付け部材１５をボール５に押し付けてボール５の前記溝１７間の球面部５ａをボール受け部６に圧着するようにしたシリンダ式圧着固定手段である活線作業用工具の固定装置。
【請求項２】
所定の作業箇所に取り付け固定される装置本体１に、スタッド４付きのボール５であって該ボール５の外周面に複数の溝１７が互いに平行に周方向に条設されてなるボール５と、このボール５を受けるボール受け部６と、前記ボール５をボール受け部６に圧着して回動不能に固定する圧着固定手段４７とを設け、前記スタッド４に、活線作業用工具Ｓを取外し可能に固定するクランプ８を設けてなり、圧着固定手段４７は、前記装置本体１のホルダー部３に軸架された回転軸４５と、該回転軸４５に設けた偏心カム４４と回転軸４５の一端部に連設した回転操作用レバー４６と、ボール５に当接する押し付け部材１５とからなり、回転装置用レバー４６により回転軸４５を回転させて、偏心カム４４の偏心回転により押し付け部材１５をボール５に押し付けてボール５の前記溝１７間の球面部５ａをボール受け部６に圧着するようにした偏心カム式圧着固定手段である活線作業用工具の固定装置。
【請求項３】
所定の作業箇所に取り付け固定される装置本体１に、スタッド４付きのボール５であって該ボール５の外周面に複数の溝１７が互いに平行に周方向に条設されてなるボール５と、このボール５を受けるボール受け部６と、前記ボール５をボール受け部６に圧着して回動不能に固定する圧着固定手段５７とを設け、前記スタッド４に、活線作業用工具Ｓを取外し可能に固定するクランプ８を設けてなり、圧着固定手段５７は、前記装置本体１の支持部材１１上に固定された固定コーン４８と、該固定コーン４８に対向して設けられボール５に当接する押し付け部材５０と、固定コーン４８と押し付け部材５０との間に楔嵌合する可動コーン４９と、可動コーン４９に当接して該可動コーン４９を楔嵌合方向に押し出すためにホルダー部３にねじ込まれるねじ軸５２と、ねじ軸５２を回転させる操作レバー５１と、からなり、操作レバー５１によりねじ軸５２を回転させて、可動コーン４９を楔嵌合方向に押し出すことによって可動コーン４９の楔作用により押し付け部材５０をボール５に押し付けてボール５の前記溝１７間の球面部５ａをボール受け部６に圧着するようにした楔式圧着固定手段である活線作業用工具の固定装置。
【発明の詳細な説明】
【技術分野】
【０００１】
活線作業には危険を伴うため、通電を一時的に止めて作業を行うことが好ましいが、通電を一時的に止めることによる弊害が多大であることから、少なくとも作業者の手で持つ部分が絶縁材料で作られた棒状のスティックやヤットコ等の活線作業用工具が使用されている。
【背景技術】
【０００２】
従来、上記のような活線作業用工具を使用して、例えば架線の被覆部分の剥離作業を行う場合には、高所作業車のバケットに二人の作業者に乗り、そのうちの一人が、先端に保持具を取り付けたスティックを持って、架線が動かないようにその剥離箇所を保持固定し、もう一人の作業者が、先端に剥離用具を取り付けたスティックを持って、このスティックで遠隔操作しながら被覆部分を剥離すると云うような作業方法がとられている。
【発明の開示】
【発明が解決しようとする課題】
【０００３】
上記のような作業方法では一箇所での活線作業に二人の作業者が必要であることから、本発明は、一人の作業者で活線作業が行えるようにするため、架線の補修箇所を保持するのに使用されるスティック等の活線作業用工具を、高所作業車のバケット等の所定の作業箇所に、工具先端の向き及びその移動が自在に調整できるように固定する活線作業用工具の固定装置を提供することを目的とする。
【課題を解決するための手段】
【０００４】
請求項１に係る発明は、所定の作業箇所に取り付け固定される装置本体１に、スタッド４付きのボール５であって該ボール５の外周面に複数の溝１７が互いに平行に周方向に条設されてなるボール５と、このボール５を受けるボール受け部６と、前記ボール５をボール受け部６に圧着して回動不能に固定する圧着固定手段７とを設け、前記スタッド４に、活線作業用工具Ｓを取外し可能に固定するクランプ８を設けてなり、圧着固定手段７は、前記装置本体１の支持部材１１上に同心状に設置された流体圧シリンダ１２と、ボール５に当接する押し付け部材１５と、からなり、該流体圧シリンダ１２の作動により押し付け部材１５をボール５に押し付けてボール５の前記溝１７間の球面部５ａをボール受け部６に圧着するようにしたシリンダ式圧着固定手段であることを特徴とする。
【０００５】
請求項２に係る発明は、所定の作業箇所に取り付け固定される装置本体１に、スタッド４付きのボール５であって該ボール５の外周面に複数の溝１７が互いに平行に周方向に条設されてなるボール５と、このボール５を受けるボール受け部６と、前記ボール５をボール受け部６に圧着して回動不能に固定する圧着固定手段４７とを設け、前記スタッド４に、活線作業用工具Ｓを取外し可能に固定するクランプ８を設けてなり、圧着固定手段４７は、前記装置本体１のホルダー部３に軸架された回転軸４５と、該回転軸４５に設けた偏心カム４４と回転軸４５の一端部に連設した回転操作用レバー４６と、ボール５に当接する押し付け部材１５とからなり、回転装置用レバー４６により回転軸４５を回転させて、偏心カム４４の偏心回転により押し付け部材１５をボール５に押し付けてボール５の前記溝１７間の球面部５ａをボール受け部６に圧着するようにした偏心カム式圧着固定手段であることを特徴とする。
【０００６】
請求項３に係る発明は、所定の作業箇所に取り付け固定される装置本体１に、スタッド４付きのボール５であって該ボール５の外周面に複数の溝１７が互いに平行に周方向に条設されてなるボール５と、このボール５を受けるボール受け部６と、前記ボール５をボール受け部６に圧着して回動不能に固定する圧着固定手段５７とを設け、前記スタッド４に、活線作業用工具Ｓを取外し可能に固定するクランプ８を設けてなり、圧着固定手段５７は、前記装置本体１の支持部材１１上に固定された固定コーン４８と、該固定コーン４８に対向して設けられボール５に当接する押し付け部材５０と、固定コーン４８と押し付け部材５０との間に楔嵌合する可動コーン４９と、可動コーン４９に当接して該可動コーン４９を楔嵌合方向に押し出すためにホルダー部３にねじ込まれるねじ軸５２と、ねじ軸５２を回転させる操作レバー５１と、からなり、操作レバー５１によりねじ軸５２を回転させて、可動コーン４９を楔嵌合方向に押し出すことによって可動コーン４９の楔作用により押し付け部材５０をボール５に押し付けてボール５の前記溝１７間の球面部５ａをボール受け部６に圧着するようにした楔式圧着固定手段であることを特徴とする。
【発明の効果】
【０００７】
本発明によれば、装置本体１に、スタッド４付きのボール５と、ボール受け部６と、前記ボール５をボール受け部６に圧着して回動不能に固定する圧着固定手段７とを設けると共に、前記スタッド４に、活線作業用工具Ｓを取外し可能に固定するクランプ８を設けたものであって、この固定装置Ａを使用することにより、例えば架線Ｃの補修箇所を保持する活線作業用工具（スティックＳ）を、所定の作業箇所に、必要とする所望の姿勢で固定させておくことができるから、作業者Ｍは一人で別の活線作業用工具（スティックＳ’）を持って、遠隔操作しながら所要の活線作業を行えばよく、従って従来二人で行っていた活線作業を一人で行うことができ、人件費の節約に貢献することができる。
【０００８】
また、本発明によれば、ボール５の外周面には複数の溝１７が互いに平行で周方向に条設されているから、押し付け部材１５によってボール５をボール受け部６に押し付けて圧着する際に、溝１７がボール受け部６の凹曲面に対し食い付き作用を発揮し、その食い付き作用によってボール５がボール受け部６に確実強固に固定される。
【発明を実施するための最良の形態】
【０００９】
図１は本発明に係る活線作業用工具の固定装置Ａの使用状態を示す斜視図、図２は同固定装置Ａの拡大斜視図、図３は同固定装置Ａの要部拡大側面断面図、図４は図３の矢印Ｘの方向から見た同固定装置Ａの一部正面図である。これらの図において、１は固定装置Ａの装置本体で、高所作業車ＫのバケットＢに取り付け固定される取付部２と、この取付部２の上部に連設されたホルダー部３とからなり、このホルダー部３内に、スタッド４を一体又は一体的に突設したボール５と、このボール５を受ける凹曲面状のボール受け部６と、前記ボール５をボール受け部６に圧着して回動不能に固定する圧着固定手段７とが設けられ、そしてボール５のスタッド４に、活線作業用工具としてスティックＳを取外し可能に固定するクランプ８が一体的に連設されている。
【００１０】
装置本体１のホルダー部３は、図３に示すように、円筒状の外筒９と、この外筒９内の上部側に、鍔部９ａ，１０ａによって抜け出しを阻止された状態で嵌合された円筒状のボール保持筒１０と、外筒９内の下部側に螺嵌されて固定された円板状の支持部材１１とからなるもので、ボール保持筒１０の内径はボール５の直径より僅かに大きいが、先端部が漸次径小となってその径小部分に前記凹曲面状のボール受け部６を形成し、このボール受け部６にボール５が回動可能に係合し、スタッド４は、ボール保持筒１０から外方へ突出している。ボール受け部６は、ボール５の外周面とほぼ同じ曲率の凹曲面に形成されている。
【００１１】
圧着固定手段７は、外筒９内の下部側に螺嵌されて固定された円板状の支持部材１１上に同心状に設置された流体圧（油圧又は空圧）シリンダ１２と、ボール５に当接する押し付け部材１５と、からなり、シリンダ１２の作動により押し付け部材１５をボール５に押し付けて、ボール５をボール受け部６に圧着するようにしたシリンダ式の圧着固定手段で、シリンダ１２のピストンロッド１３を連結具１４を介して押し付け部材１５に連結している。１６ａ，１６ｂは流体圧の給排管、１６ｃはポンプを示す。
【００１２】
しかして、ポンプ１６ｃからの流体圧（油圧又は空圧）によって流体圧シリンダ１２が作動し、該シリンダ１２のピストンロッド１３が連結具１４を介して押し付け部材１５をボール５側に押し付け、それによりボール５がホルダー部３のボール受け部６に圧着されて、ボール５はホルダー部３側に回動不能に固定される。また、ポンプ１６ｃから給排官１６ａ，１６ｂを通ってシリンダ１２に流れる流体圧の切替によって、当然のことながら押し付け部材１５に対する押圧力が開放されるため、ボール受け部６に対するボール５の圧着作用が解除され、ボール５はホルダー部３に対し自由に回動可能となる。
【００１３】
また、図３及び図５に示すように、本発明にあっては、ボール５の外周面には複数の溝１７が互いに平行で周方向に条設されているから、押し付け部材１５によってボール５をボール受け部６に押し付けて該ボール５の溝１７間の球面部５ａをボール受け部６に圧着する際に、溝１７がボール受け部６の凹曲面に対し食い付き作用を発揮し、その食い付き作用によってボール５がボール受け部６に確実強固に固定される。
【００１４】
ボール５のスタッド４に連設されたクランプ８は、図３及び図４に示すように、スタッド４の先端部に嵌合されてピン１８により固定された固定部材１９と、左右２本のガイドロッド２０，２０を介して、固定部材１９に対し平行移動可能な可動部材２１とを有する。ガイドロッド２０は、可動部材２１の長手方向両端部から垂直下方へ突出して、固定部材１９のガイド孔（図示省略）に挿通支持されており、またガイドロッド２０には、可動部材２１を固定部材１９に対し適当間隔に保持して活線作業用工具の挿入を容易にするためのコイルバネ２２が嵌装されている。そして、これら固定部材１９と可動部材２１との対向面には、活線作業用工具としてのスティックＳを挟持する断面略Ｖ字状の挟持部１９ａ，２１ａが形成されている。また、固定部材１９の長手方向中央部にはねじ軸２３が立設され、このねじ軸２３は可動部材２１の孔２１ｂに挿通され、その先端部には締付部材２４が螺嵌されている。この締付部材２４には回転操作用のノブ２５が取り付けてある。
【００１５】
このクランプ８の使用にあたっては、固定部材１９と可動部材２１との両挟持部１９ａ，２１ａ間にスティックＳを挿入し、ねじ軸２３に螺嵌されている締付部材２４をコイルバネ２２の付勢力に抗して締付方向に回転させることにより、可動部材２１が固定部材１９側に接近して、両挟持部１９ａ，２１ａ間で種々の径のスティックＳを挟持固定することができる。
【００１６】
装置本体１の取付部２は、図２に概略示すように、前後一対の脚部２６ａ，２６ｂと両脚部２６ａ，２６ａをつなぐ連結部２６ｃからなるコ字枠本体２６と、このコ字枠本体２６の一方の脚部２６ａ側に螺合されて他方の脚部２６ｂ側へ延びる螺軸２７と、この螺軸２７の先端に取り付けられた円板状の押し付け部材２８とによって構成され、コ字枠本体２６の上端部に基台２９が固着され、この基台２９上に円筒状の連結部材３０が立設され、この円筒状連結部材３０の上端部に前記ホルダー部３の円板状支持部材１１の取付部１１ａが嵌合されて、ビスｄにより固定されている（図３参照）。螺軸２７の基端部にはレバー２７ａが設けてある。
【００１７】
従って、この取付部２を高所作業車のバケットＢに取り付けるには、図２のようにコ字枠本体２６をバケットＢの側壁上端部に跨嵌し、レバー２７ａの回転操作により螺軸２７を螺進させて、この螺軸２７の先端の押し付け部材２８とコ字枠本体２６の脚部２６ｂとでバケットＢの側壁部を圧着すればよい。
【００１８】
以上説明したような構成よりなる固定装置Ａを使用して、図１に示すような架線Ｃの活線作業、例えば被覆部分の剥離作業を行う場合には、先ず、装置本体１の取付部２を高所作業車ＫのバケットＢの所要部に取り付け固定する。この際、圧着固定手段７は、流体圧シリンダ１２の非作動によりボール受け部６に対するボール５の圧着作用が解除されるロック解除位置にセットして、スタッド４に取り付けられたクランプ８がボール５を中心として任意の方向へ自由に揺動できるようにしておく。
【００１９】
それから、作業者Ｍが先端に保持具Ｅを取り付けたスティックＳを持って、その保持具Ｅで剥離箇所の所要部を保持しながら、固定装置１のクランプ８側をボール５を中心に適宜に揺動させて、このスティックＳの基端部をクランプ８に挟持固定する。この際、スティックＳ先端の向きに応じてクランプ８側を揺動させると共に、保持具Ｅの保持位置に応じてスティックＳをその長さ方向に適宜移動させて、スティックＳが所望の姿勢になった状態でその基端部をクランプ８で挟着固定すればよい。この後、圧着固定手段７の流体圧シリンダ１２を作動させて、ボール５をホルダー部３側に回動不能に固定することによって、スティックＳは、図１に示すようにバケットＢに取り付け固定した装置本体１に対し所望の姿勢に固定される。
【００２０】
こうして、剥離箇所の所要部を保持するスティックＳを、固定装置ＡによってバケットＢに固定した後、作業者Ｍが、先端に剥離用具Ｆを取り付けた別のスティックＳ′を持って、このスティックＳ′で遠隔操作しながら架線Ｃの被覆部分の剥離作業を行う。
【００２１】
上記のように、本発明の固定装置Ａによれば、架線Ｃが動かないように剥離箇所の所要部を保持するスティックＳを、バケットＢの所定箇所において、三次元方向に適宜に位置調整した上で作業に必要な所望の姿勢に固定させることができるから、作業者Ｍは一人で別のスティックＳ′を持って、遠隔操作しながら被覆部分の剥離作業を行うことができる。この場合、必要に応じて、複数個のスティックＳを使用して、それらをバケットＢの所要位置に固定することができる。特に、この固定装置Ａによれば、流体圧シリンダ１２を作動させるだけで、ボール受け６に対するボール５のロック操作及びその解除操作を行えるから、活線作業用工具の固定又は取外し作業が簡単容易となる。
【００２２】
この実施形態では、固定装置Ａに固定する活線作業用工具として、スティックＳのみを例示したが、ヤットコその他のスティックＳ以外の工具も固定することができる。また、装置本体１は、高所作業車ＫのバケットＢに限らず、所定の作業箇所に取り付け固定させることができるものである。
【００２３】
図６は、本発明の他の実施形態の圧着固定手段４７を示すもので、該圧着固定手段４７は、偏心カム４４により押し付け部材１５をボール５に押し付けて、ボール５をボール受け部６に圧着するようにした偏心カム式の圧着固定手段で、ホルダー部３の外筒９に回転軸４５を軸受部材ｅ，ｅにより軸架し、この回転軸４５の中央部に偏心カム４４を設けると共に、回転軸４５の一端部に回転操作用レバー４６を連設し、このレバー４６により回転軸４５を回転させて、カム４４の偏心回転により押し付け部材１５にボール５に対する押し付け作用を働かせるようにしている。
【００２４】
また、図７に示す圧着固定手段５７は、楔の利用による圧着固定手段を示す。この図において４８は、円板体の上面側に傾斜の緩い円錐状の凸部４８ａを形成してなる固定コーンであり、４９は、円板体の下面側に固定コーン４８の円錐状凸部４８ａに嵌合する円錐状凹部４９ａを形成し且つ上面側にそれと同様な円錐状凹部４９ｂを形成してなる可動コーンである。５０は、下面側に可動コーン４９の円錐状凹部４９ｂに嵌合する円錐状凸部５０ａを形成し、ボール５に押し付けられる前記押し付け部材１５と同様な押し付け部材である。また５１は、ホルダー部３の外筒９に螺合されたねじ軸５２を回転させる操作レバーで、ねじ軸５２の先端が可動コーン４９の外周面部に当接される。
【００２５】
従って、図７のように固定コーン４８をホルダー部３の支持部材１１上に固定し、固定コーン４８の円錐状凸部４８ａに可動コーン４９の下面側円錐状凹部４９ａを嵌合し、この可動コーン４９の上面側円錐状凹部４９ｂに押し付け部材５０の下面側円錐状凸部５０ａを嵌合した状態で、操作レバー５１によりねじ軸５２を進み方向に回転させると、このねじ軸５２の螺進によって可動コーン４９が押し出され、この押し出し時の可動コーン４９の楔作用により押し付け部材５０が押し上げられて、ボール５がボール受け６に圧着固定されることになる。
【図面の簡単な説明】
【００２６】
【図１】本発明に係る活線作業用工具の固定装置の使用状態を示す斜視図である。
【図２】同固定装置の拡大斜視図である。
【図３】同固定装置の要部拡大側面断面図である。
【図４】図３の矢印Ｘの方向から見た同固定装置の一部正面図である。
【図５】ボールの一部拡大正面図である。
【図６】偏心カム式の圧着固定手段を示す断面図である。
【図７】楔式の圧着固定手段を示す断面図である。
【符号の説明】
【００２７】
Ｓ，Ｓ′      スティック（活線作業用工具）
Ａ            活線作業用工具の固定装置
１            装置本体
４            スタッド
５            スタッド付きのボール
５ａ          球面部
６            ボール受け部
７            流体圧シリンダ式の圧着固定手段
８            クランプ
４７          偏心カム式の圧着固定手段
５７          楔式の圧着固定手段
【図１】
0004796159.tif 000002
【図２】
0004796159.tif 000003
【図３】
0004796159.tif 000004
【図４】
0004796159.tif 000005
【図５】
0004796159.tif 000006
【図６】
0004796159.tif 000007
【図７】
0004796159.tif 000008